(57)【要約】      （修正有）【課題】製品価格や維持費を低減しながらも、ペットが出入りする空間を効率よく温度調整することができるペットハウスを提供する。【解決手段】ペットハウスは、対向配置される一対の側壁１０Ｃ，１０Ｄを少なくとも含むハウス本体と、ハウス本体の上部に支持されて、上下に貫通する開口３２を有する仕切り部材３０と、仕切り部材３０の開口３２に着脱自在に挿通保持され、開口３２を介して仕切り部材３０の下部空間１６に露出する、冷却又は加熱用の熱源を収容可能な凹部４１を有するセラミック製の収容部と、を有し、下部空間１６にペットが出入り可能である。【選択図】図７
2020010638.tif 000002
【特許請求の範囲】
【請求項１】
対向配置される一対の側壁を少なくとも含むハウス本体と、
前記ハウス本体の上部に支持されて、上下に貫通する開口を有する仕切り部材と、
前記仕切り部材の前記開口に着脱自在に挿通保持され、前記開口を介して前記仕切り部材の下部空間に露出する、冷却又は加熱用の熱源を収容可能な凹部を有するセラミック製の収容部と、
を有し、
前記下部空間にペットが出入り可能なペットハウス。
【請求項２】
請求項１において、
前記収容部の前記凹部を覆うセラミック製の蓋体をさらに有し、前記蓋体上に前記ペットが出入り可能なペットハウス。
【請求項３】
請求項１または２において、
前記ハウス本体の前記下部空間に、水平かつ着脱自在に支持されるセラミック製の床壁をさらに有するペットハウス。
【請求項４】
請求項３において、
前記床壁の下方の空間に着脱自在に配置され、冷却又は加熱用の熱源を収容可能な断熱容器をさらに有するペットハウス。
【請求項５】
請求項１乃至４のいずれか一項において、
前記ハウス本体の上端部を覆って前記上端部に着脱自在な座部をさらに有するペットハウス。
【請求項６】
請求項１乃至５のいずれか一項において、
前記ハウス本体は、前記一対の側壁に加えて、表面壁と裏面壁とをさらに含み、前記ハウス本体の前記表面壁に、前記ペットが出入り可能な出入口が形成されているペットハウス。
【請求項７】
請求項４において、
前記ハウス本体は、前記一対の側壁に加えて、表面壁と裏面壁とをさらに含み、前記ハウス本体の前記表面壁に、前記ペットが出入り可能な第１出入口が形成され、前記ハウス本体の前記表面壁及び前記裏面壁の一方に、前記断熱容器を出入り可能にする第２出入口が形成されているペットハウス。
【請求項８】
請求項６または７において、
前記仕切り部材は前記ハウス本体に着脱自在に支持され、前記ハウス本体は展開状態では筒体となり、かつ、前記ハウス本体の対向内面が接近するように折り畳み可能であるペットハウス。
【請求項９】
請求項８において、
前記ハウス本体は底壁をさらに含み、前記ハウス本体の折り畳み時に前記側壁が変形または屈曲可能であるペットハウス。
【発明の詳細な説明】
【技術分野】
【０００１】
本発明は、冷却又は加熱用の熱源を配置することができる、猫や犬などのペットのためのペットハウスに関する。
【背景技術】
【０００２】
ペットの熱中症対策等のためのペットハウスが提供されている。特許文献１では、ペットが出入りする出入口を備えたペットハウス本体の上部に、保冷剤を備えたクールボックスを配置している。ペットハウス本体とクールボックスとの境界には吸気孔とファンとが配置される。ファンによる循環経路に沿って、ペットハウス本体内の暖気が吸気孔を介してクールボックスに導入され、熱交換された空気がファンを介してペットハウス本体に送出される。
【０００３】
特許文献２は、下から上に、ペット出入口を有しペット居住場所を形成するペット居住引出と、内部に保冷剤が載置された保冷剤収納引出と、を有するペット小屋を開示している。保冷剤収納引出は通気性のある底板を有する。
【０００４】
特許文献３は、ペット出入口を有するハウスの屋根側に蓄冷材を収容可能な収容室を設け、収容室の底部にハウスの内部と連通する通気孔を設けたペットハウスを開示している。
【先行技術文献】
【特許文献】
【０００５】
【特許文献１】特開２０１７−１２７２３５号公報
【特許文献２】特開２０１３−１４３９１４号公報
【特許文献３】特開２００５−１１８０１２号公報
【発明の概要】
【発明が解決しようとする課題】
【０００６】
特許文献１〜３は、ペット出入口を有するハウス本体（ペット居住引出、ハウス）の上部に保冷剤を収容するクールボックス（保冷剤収納引出、収容室）を備えることとで共通する。特許文献１は、クールボックスで冷却された空気は、ファンによってペット収容空間に送出されるため、製品価格も維持費も高くなる。
【０００７】
特許文献２，３では、ハウス本体（ペット居住引出、ハウス）とクールボックス（保冷剤収納引出、収容室）との境界に通気孔のみを形成している点で共通する。しかし、通気孔では、クールボックス（保冷剤収納引出、収容室）内の冷気をその下方のハウス本体（ペット居住引出、ハウス）に効率よく送出させることができない。
【０００８】
本発明は、製品価格や維持費を低減しながらも、ペットが出入りする空間を効率よく温度調整することができるペットハウスを提供することを目的とする。
【課題を解決するための手段】
【０００９】
（１）本発明の一態様は、
対向配置される一対の側壁を少なくとも含むハウス本体と、
前記ハウス本体の上部に支持されて、上下に貫通する開口を有する仕切り部材と、
前記仕切り部材の前記開口に着脱自在に挿通保持され、前記開口を介して前記仕切り部材の下部空間に露出する、冷却又は加熱用の熱源を収容可能な凹部を有するセラミック製の収容部と、
を有し、
前記下部空間に小動物が出入り可能なペットハウスに関する。
【００１０】
本発明の一態様によれば、ハウス本体の上部に支持される仕切り部材に上下に貫通して設けられた開口に、冷却又は加熱用の熱源を収容可能な凹部を有するセラミック製の収容部が挿通されて保持される。つまり、熱源によって冷却又は加熱されるセラミック製の収容部が、仕切り部材の下方のペットハウス空間に突出して直接露出している。それにより、通気孔を必ずしも要せずにペットハウス空間を直接冷却又は加熱することができる。特にセラミック製の収容部は比較的熱容量が大きいので、保冷または保温効果が高まる。さらに、セラミック製の収容部は、液体である水や氷水等の冷媒を直接収容した場合や、結露が生じた場合には、気化熱の利用によってペットハウス空間を冷却でき、冷却効果を高めることができる。
【００１１】
（２）本発明の一態様（１）では、前記収容部の前記凹部を覆うセラミック製の蓋体をさらに有し、前記蓋体上に前記ペットを出入り可能とすることができる。こうすると、仕切り部材の下方のペットハウス空間でなく、蓋体の上方空間もペットハウス空間として、蓋体に乗ったペットを冷却又は加熱することができる。
【００１２】
（３）本発明の一態様（１）または（２）では、前記ハウス本体の前記下部空間に、水平かつ着脱自在に支持されるセラミック製の床壁をさらに有することができる。こうすると、熱容量が比較的大きなセラミック製の床壁により、床壁上のペットの保冷または保温効果を高めることができる。
【００１３】
（４）本発明の一態様（３）では、前記床壁の下方の空間に着脱自在に配置され、冷却又は加熱用の熱源を収容可能な断熱容器をさらに有することができる。こうすると、断熱容器に収容された熱源によっても床壁が冷却又は加熱されるので、床壁上のペットの保冷または保温効果をさらに高めることができる。
【００１４】
（５）本発明の一態様（１）乃至（４）のいずれかでは、前記ハウス本体の上端部を覆って前記上端部に着脱自在な座部をさらに有することができる。こうすると、ペットハウスを椅子として兼用し、ペットと人間とが身近に触れ合う機会を提供することができる。
【００１５】
（６）本発明の一態様（１）乃至（５）のいずれかでは、前記ハウス本体は、前記一対の側壁に加えて、表面壁と裏面壁とをさらに含み、前記ハウス本体の前記表面壁に、前記ペットが出入り可能な出入口が形成されても良い。こうすると、四面を有するペットハウス本体によりペットハウス空間が外界と仕切られるので、ペットの保冷または保温効果をさらに高めることができる。
【００１６】
（７）本発明の一態様（４）では、前記ハウス本体は、前記一対の側壁に加えて、表面壁と裏面壁とをさらに含み、前記ハウス本体の前記表面壁に、前記ペットが出入り可能な第１出入口が形成され、前記ハウス本体の前記表面壁及び前記裏面壁の一方に、前記断熱容器を出入り可能にする第２出入口が形成されても良い。こうすると、上記態様（６）での作用効果に加えて、ハウス本体に対する断熱容器の出し入れが容易となり、断熱容器に収容される熱源の交換作業等が簡易となる。
【００１７】
（８）本発明の一態様（６）または（７）では、前記仕切り部材は前記ハウス本体に着脱自在に支持され、前記ハウス本体は展開状態では筒体となり、かつ、前記ハウス本体の対向内面が接近するように折り畳み可能にすることができる。こうすると、仕切り部材、収容部、床壁、断熱容器、座部等をハウス本体から取り外した後に、ハウス本体を折り畳むことで、ペットハウスの不使用時の収容スペースが小さくなり、あるいはペットハウスの運搬性が向上する。
【００１８】
（９）本発明の一態様（８）では、前記ハウス本体は底壁をさらに含み、前記ハウス本体の折り畳み時に前記側壁が変形または屈曲可能となる。こうすると、底壁の存在によりハウス本体が補強される一方で、ハウス本体の折り畳みを妨げることもない。
【図面の簡単な説明】
【００１９】
【図１】本発明の一実施形態に係るペットハウスの概略斜視図である。
【図２】図２（Ａ）〜図２（Ｄ）は、図１に示すペットハウスの正面図、平面図、底面図、側面図である。
【図３】図１に示すペットハウスの内部を透視した透視図である。
【図４】図３から蓋体を外した透視図である。
【図５】図４から収容部を外した透視図である。
【図６】仕切り部材を支える構造を示す斜視図である。
【図７】図１に示すペットハウスの上部領域の断面図である。
【図８】図１に示すペットハウスの断面図である。
【図９】引出し型の断熱容器を示す図である。
【図１０】ペットハウス本体の折り畳みを説明するための図である。
【図１１】本発明の一実施形態に係るペットハウスの収容部を上部冷却装置とした機能させた時の、上部冷却装置の底面温度、室温及び庫内温度との関係を示す図である。
【図１２】本発明の一実施形態に係るペットハウスの収容部を上部冷却装置とした機能させた時の、上部冷却装置の底面温度と底面湿度と室温との関係を示す図である。
【図１３】本発明の一実施形態に係るペットハウスの収容部を上部冷却装置とした機能させた時の、上部冷却装置の上面温度と室温との関係を示す図である。
【図１４】本発明の一実施形態に係るペットハウスの断熱容器を下部冷却装置とした機能させた時の、下部冷却装置の上面温度、庫内温度及び室温との関係を示す図である。
【図１５】収容部に代えて電気ヒーターを配置した本発明の応用例を示す図である。
【図１６】図１５に示す電気ヒーターの周囲に防寒具を配置した使用例を示す図である。
【図１７】ペットハウスの変形例を示す図である。
【発明を実施するための形態】
【００２０】
以下、本発明の好適な実施の形態について詳細に説明する。なお以下に説明する本実施形態は特許請求の範囲に記載された本発明の内容を不当に限定するものではなく、本実施形態で説明される構成の全てが本発明の解決手段として必須であるとは限らない。
【００２１】
１．ペットハウス
図１と図２（Ａ）〜図２（Ｄ）は、本発明の一実施形態に係るペットハウス１を示している。ペットハウス１はハウス本体１０を含む。ペットハウス１は、必要により、ハウス本体１０の上部端部を覆ってハウス本体１０に着脱自在に保持される座部２０を設け、椅子として兼用できる。こうすると、人間が着座するペットハウス１の内部空間をペットの空間とすることができ、ペットと人間とが身近に触れ合う機会を提供することができる。座部２０はなくても良いし、座部２０を取り外した状態でペットハウス１を利用しても良い。
【００２２】
ハウス本体１０は、本実施形態では例えば四面に壁部を有する筒状体とすることができ、つまり、正面壁１０Ａ、裏面壁１０Ｂ及び一対の側壁１０Ｃ，１０Ｄを有することができる。この場合、正面壁１０Ａにはペットのための例えば円形の第１出入口１２を設けることができる。また、本実施形態では、正面壁１０Ａの第１出入口１２の下方に第２出入口１４を形成している。この第２出入口１４は、後述する断熱容器５０（図３参照）の前面パネル５２で塞がれている。前面パネル５２には、その前面より突出するつまみ５４が設けられている。
【００２３】
ハウス本体１０は、底壁１０Ｅをさらに有していても良い。底壁１０Ｅは、例えば布材等の変形可能な材質で形成するか、あるいは壁部１０Ａ〜１０Ｄの一つに対して例えば９０°に屈曲可能に構成することが好ましい。ペットハウスの省スペースでの保管性や携帯性を確保するために、図１０に示すように例えば一対の側壁１０Ｃ，１０Ｄを、例えば予め形成された折り曲げ線に沿って例えばＭ字状に折り曲げて、ハウス本体１０を折り畳めることが好ましい。その際に、変形又は屈曲する底壁１０Ｅが折り畳みの障害とはならないことが好ましい。ただし、ハウス本体１０が折り畳み不要の場合には、底壁１０Ｅは剛体で形成することができる。
【００２４】
なお、ハウス本体１０の最小構成要素は一対の側壁１０Ｃ，１０Ｄである。一対の側壁１０Ｃ，１０Ｄが対向配置されるように、後述する仕切り部材３０や枠組み体等により保形性が確保されれば、正面壁１０Ａ、裏面壁１０Ｂ及び底壁１０Ｅは必ずしも必要ではない。一対の側壁１０Ｃ，１０Ｄだけのハウス本体１０は、正面又は裏面からペットの出入りが確保される。
【００２５】
次に、図３〜図９を用いて、ペットハウス１の内部構造について説明する。図３〜図８に示すように、ペットハウス１は、ハウス本体１０の上部に例えば水平に支持される、例えば板状の仕切り部材３０を有する。本実施形態では、仕切り部材３０は、ハウス本体１０の上端部よりも低い位置にて、ハウス本体１０に例えば着脱自在に支持されて、ハウス本体１０内を上下で仕切っている。仕切り部材３０は、上下に貫通する例えば円形の開口３２を有する。
【００２６】
仕切り部材３０には、着脱自在にセラミック製の収容部４０が保持される。収容部４０は例えば素焼きの陶器で形成することができる。収容部４０は、底壁４０Ａと、底壁４０Ａに向かうに従い縮径するテーパー状の周壁４０Ｂと、周壁４０Ｂの上端部に設けられたフランジ４０Ｃとを含むことができ、底壁４０Ａと周壁４０Ｂとに囲まれる凹部４１が形成される。この凹部４１に、冷却又は加熱用の熱源が収容される。図４では、冷媒の一例である氷水２が凹部４１に収容をされている。
【００２７】
ここで、収容部４０は、仕切り部材３０の開口３２に着脱自在に挿通保持される。図７では、収容部４０のテーパー状の周壁４０Ｂが開口３２に支持されている。この場合、開口３２と周壁４０Ｂの断面とは相似形（本実施形態では円）となる。これとは異なり、フランジ４０Ｃが仕切り部材３０の上面と当接されることで、収容部４０が仕切り部材３０に保持されても良い。この場合、開口３２と周壁４０Ｂの断面とは非相似形でも良い。いずれの場合でも、開口３２を介して仕切り部材３０の下部空間１６に、収容部４０の底壁４０Ａ及び周壁４０Ｂが直接露出される。それにより、特許文献１のようにファンを要せずに、あるいは特許文献２，３のように通気孔を必ずしも要せずに、ペットハウス空間である下部空間１６を直接冷却又は加熱することができる。特にセラミック製の収容部４０は比較的熱容量が大きいので、保冷または保温効果が高まる。さらに、図４に示すように、セラミック製の収容部４０に液体である水や氷水等の冷媒２を直接収容すると、液体が気化されることで奪われる気化熱によって下部空間１６を冷却でき、冷却効果を高めることができる。あるいは、セラミック製の収容部４０に生ずる結露が気化されることで奪われる気化熱によっても、下部空間１６を冷却することができる。
【００２８】
本実施形態では、収容部４０の凹部４１を覆うセラミック製の蓋体４２をさらに設けている。こうして、座部２０を取り外した状態では、蓋体４２上にもペットを出入り可能とすることができる。こうすると、仕切り部材３０の下方の下部空間１６でなく、蓋体４２の上方空間もペットハウス空間として、蓋体４２に乗ったペットを冷却又は加熱することができる。それにより、一つの熱源を二匹のペットで共用することができる。また、蓋体４２には、凹部４２Ａを設けることができる。こうすると、ペット例えば猫が蓋体４２上に乗った時に凹部４２Ａ内に収まりやすくなる。また、図７に示すように、蓋体４２に形成された凹部４２Ａにより、蓋体４２の一部が収容部４０内に嵌まり込むので、蓋体４２がずれることがない。
【００２９】
本実施形態では、ハウス本体１０内で仕切り部材３０を例えば水平に保持するための保持機構として、複数例えば２本の支持バー３３を用いている。この２本の支持バー３３の自由端部３３Ａ，３３Ｂは屈曲されて垂下される。一対の側壁１０Ｃ，１０Ｄには、支持バー３３の自由端部３３Ａ，３３Ｂが挿入される垂直管を有する支持具３４Ａ，３４Ｂが設けられる。両側の支持具３４Ａ，３４Ｂにより、２本の支持バー３３は水平に、かつ、着脱自在に保持される。仕切り部材３０を着脱自在に保持する保持機構は、既知又は周知の種々の構造を採用できる。
【００３０】
本実施形態では、ハウス本体１０の下部空間１６に、水平かつ着脱自在に支持されるセラミック製の床壁３５さらに有することができる。こうすると、出入口１２から侵入したペットは、床壁３５上に載せられることになる。それにより、熱容量が比較的大きなセラミック製の床壁３５により、床壁３５上のペットの保冷または保温効果を高めることができる。
【００３１】
本実施形態では、床壁３５の下方に着脱自在に配置され、冷却又は加熱用の熱源を収容可能な断熱容器５０をさらに有することができる。断熱容器５０は例えば発砲材料等の断熱材で形成される。断熱容器５０は、例えば図９に示すように、仕切り壁５１により複数例えば２つに仕切られた収容部の各々に選択的に熱源（保冷剤や発熱剤等）を収容できる。断熱容器５０に収容された熱源（保冷剤や発熱剤等）によっても床壁３５が冷却又は加熱されるので、床壁３５上のペットの保冷または保温効果をさらに高めることができる。
【００３２】
この断熱容器５０は、上述した通り、前面パネル５２に設けられたつまみ５４を把持することで、例えば正面壁１０Ａに形成された出入口１４を介して、ハウス本体１０の内外に出し入れすることができる。よって、熱源の交換作業などが簡易となる。また本実施形態では、床壁３５を水平に保持する保持機構とし、断熱容器５０が兼用されている。つまり、断熱容器５０の上面に床壁３５が載置される。断熱容器５０を引き出した時でも、断熱容器５０の一部がハウス本体１０内に止まっていれば、床壁３５を保持することができる。断熱容器５０が配置されない場合や、断熱容器５０を保持機構として兼用しない場合には、床壁３５を保持する保持機構として、仕切り部材３０を保持する保持機構と同様な構造を採用することができる。なお、断熱容器５０が配置されない場合や、断熱容器５０を引き出し可能にしない場合には、正面壁１０Ａまたは裏面壁１０Ｂに出入口１４を設ける必要はない。
【００３３】
２．ペットハウスの評価
図１１〜図１４は、ペットハウス１について評価した特性データを示す。なお、以下の説明において、収容部４０に冷媒を収容したものを上部冷却装置とも称し、断熱容器５０に保冷剤を収容したものを下部冷却装置とも称する。
【００３４】
図１１は、収容部４０に水を収容して測定したデータを示す。図１１に示すように、気温が低い（およそ２５℃以下）場合は、上部冷却装置を構成する収容部４０の底壁４０Ａは湿度が高い状態が続いているが、気温が高くなるにつれて、収容部４０の素焼きの表面から気化熱が発生して冷やし始めた。このペットハウス１は、水のみを上部冷却装置に長期間入れておくだけでも、自然の力でハウス本体１０の庫内を過度に冷やすことなく、動物にとって快適な温度を長期にわたり提供することができる。
【００３５】
図１２は、凍った保冷材１ｋｇを収容部４０に収容して測定されたデータを示す。図１２に示すように、凍った保冷材１ｋｇを入れた上部冷却装置は急速に冷やすことが可能である。しかも、収容部４０の素焼きの陶器の蓄熱効果と、この時生ずる結露が気化した時の気化熱とを利用して、従来の保冷材を使用したものよりも長時間冷却を継続でき、１０時間以上も２０℃以下の温度を保持できた。
【００３６】
図１３は、図１２と同じ条件で測定された上部冷却装置の上面温度（蓋体４２の温度）を示すデータである。図１３に示すように、上部冷却装置の中の保冷材が内部の空気を間接的に冷やし、また底部を直接冷やし、蓋体４２の上面の表面温度も長時間にわたり冷やすことが可能である。この日は３６．７℃まで室温が上がったが、２７〜２７．８℃と約１０℃も表面温度が室温よりも低い。このペットハウス１では、直接小動物の皮膚が蓋体４２と接触し、例えば猫の平均体温３８℃より１０度以上低いので快適が保たれている。
【００３７】
図１４は、底部冷却装置としての断熱容器５０に保冷剤を収容して測定されたデータを示す。図１４に示すように、猫（小動物）が直接接する床壁３５を断熱容器５０中の保冷材により長時間冷やし続けることができる。
【００３８】
なお、上記のように本実施形態について詳細に説明したが、本発明の新規事項および効果から実体的に逸脱しない多くの変形が可能であることは当業者には容易に理解できるであろう。従って、このような変形例はすべて本発明の範囲に含まれるものとする。
【００３９】
図１５及び図１６は、収容部４０の代わりに電気ヒーター６０を配置した本発明の応用例である。収容部４０の凹部４１に発熱剤等を収容して上部加熱装置としても良いが、図１５及び図１６のように、収容部４０を取外し、代わりにケーブル６１を有する電気ヒーター６０を仕切り部材３０上に配置しても良い。図１６に示すうに、電気ヒーター６０の周囲に布材等の防寒用具を配置しても良い。
【００４０】
図１７は、図１のペットハウス１とは異なる形状のペットハウス１Ａを示す。このペットハウス１Ａは、一対の側壁１１Ａ，１１Ｂを有するハウス本体１１を含む。ハウス本体１１は、さらに底壁１１Ｃを有することができる。本実施形態では、ハウス本体１１の上部例えば上端部に支持される仕切り部材３１が設けられる。ハウス本体１１は、一対の側壁１１Ａ，１１Ｂに仕切り部材３１を固定することで保形性が維持される。よって、底壁１１Ｃは設けても設けなくても良い。本実施形態では、一対の側壁１１Ａ，１１Ｂ、底壁１１Ｃ及び仕切り部材３１は、木材、金属、合成樹脂等で形成することができる。
【００４１】
仕切り部材３１は、図５に示す仕切り部材３０の開口３２と同様にして開口が形成され、その開口に図４に示す収容部４０が保持される。収容部４０には図７に示す蓋体４２が配置される。それにより、仕切り部材３１の下方の下部空間１６Ａと、蓋体４２の上方空間とを、ペットのための温調空間として、収容部４０内の熱源を二匹のペットで共用することができる。
【００４２】
本実施形態においても、ハウス本体１１の下部空間１６Ａに、水平に支持されるセラミック製の床壁３５Ａさらに有することができる。さらに、床壁３５Ａの下方に着脱自在に配置され、冷却又は加熱用の熱源を収容可能な断熱容器５０Ａをさらに有することができる。断熱容器５０Ａは、前面パネル５２Ａに設けられたつまみ５４Ａを把持することで、ハウス本体１１の内外に出し入れすることができる。なお、なお、断熱容器５０Ａは、内部の発砲材料等を省略して図示している。また、床壁３５Ａは、一対の側壁１１Ａ，１１Ｂに支持されても良く、あるいは断熱容器５０Ａの上に載置されることで支持されても良い。
【符号の説明】
【００４３】
１，１Ａ…ペットハウス、１０，１１…ハウス本体、１０Ａ…正面壁、１０Ｂ…裏面壁、１０Ｃ，１０Ｄ，１１Ａ，１１Ｂ…一対の側壁、１０Ｅ…底壁、１２…出入口（第１出入口）、１４…第２出入口、１６，１６Ａ…下部空間、２０…座部、３０…仕切り部材、３２…開口、３３…支持バー、３５，３５Ａ…床壁、４０…収容部、４０Ａ…底壁、４０Ｂ…周壁、４０Ｃ…フランジ、４１…凹部、４２…蓋体、４２Ａ…凹部、５０，５０Ａ…断熱容器、５２，５２Ａ…前面パネル、５４，５４Ａ…つまみ、６０…電気ヒーター
【図１】
2020010638.tif 000003
【図２】
2020010638.tif 000004
【図３】
2020010638.tif 000005
【図４】
2020010638.tif 000006
【図５】
2020010638.tif 000007
【図６】
2020010638.tif 000008
【図７】
2020010638.tif 000009
【図８】
2020010638.tif 000010
【図９】
2020010638.tif 000011
【図１０】
2020010638.tif 000012
【図１１】
2020010638.tif 000013
【図１２】
2020010638.tif 000014
【図１３】
2020010638.tif 000015
【図１４】
2020010638.tif 000016
【図１５】
2020010638.tif 000017
【図１６】
2020010638.tif 000018
【図１７】
2020010638.tif 000019